(57)【要約】【課題】  内視鏡本体と付属品との適合判断を容易に確認できる内視鏡管理システムを構築することを目的とする。【解決手段】  内視鏡本体１０に識別コードＡを付し、前記識別コードＡのコード情報とこの識別コードＡが付された内視鏡本体１０に関する情報を中央サーバに入力し、前記中央サーバにおいて識別コード別に内視鏡情報を管理するとともに、付属品２０に識別コードＢを付し、前記識別コードＢのコード情報とこの識別コードＢが付された付属品２０に関する情報を中央サーバに入力し、前記中央サーバにおいて識別コード別に付属品情報を管理する内視鏡管理システムであって、内視鏡本体１０に付した識別コードＡと付属品２０に付した識別コードＢの各コード情報に基づいて内視鏡情報と付属品情報とを取得し、内視鏡本体と付属品の適合判断を行う。【選択図】  図７
2005058450.tif 000002
【特許請求の範囲】
【請求項１】
内視鏡本体（１０）に識別コードＡを付し、前記識別コードＡのコード情報とこの識別コードＡが付された内視鏡本体（１０）に関する情報を中央サーバに入力し、前記中央サーバにおいて識別コード別に内視鏡情報を管理するとともに、
付属品（２０）に識別コードＢを付し、前記識別コードＢのコード情報とこの識別コードＢが付された付属品（２０）に関する情報を中央サーバに入力し、前記中央サーバにおいて識別コード別に付属品情報を管理する内視鏡管理システムであって、
内視鏡本体（１０）に付した識別コードＡと付属品（２０）に付した識別コードＢの各コード情報に基づいて内視鏡情報と付属品情報を取得し、内視鏡本体と付属品の適合判断を行うことを特徴とした内視鏡管理システム。
【請求項２】
内視鏡本体（１０）と付属品（２０）との適合判断を行うにあたって、内視鏡本体（１０）に付された識別コードＡのコード情報に基づいて中央サーバから内視鏡情報を取得するとともに、付属品（２０）に付された識別コードＢのコード情報に基づいて中央サーバから付属品情報を取得し、これら中央サーバから取得した内視鏡情報と付属品情報とに基づいて内視鏡本体と付属品の適合判断を行うことを特徴とする請求項１に記載の内視鏡管理システム。
【請求項３】
中央サーバから取得した内視鏡情報に基づいて内視鏡本体の使用適性を判断するとともに、中央サーバから取得した付属品情報に基づいて付属品の使用適性を判断し、
その後、内視鏡本体と付属品との組み合わせの適合性を判断することを特徴とする請求項２に記載の内視鏡管理システム。
【請求項４】
内視鏡本体への印刷、あるいはラベルの貼付、あるいはタグの装着によって、バーコードなどの光学式識別コードによる識別コードＡを内視鏡本体（１０）に付すとともに、タグの装着によって、バーコードなどの光学式識別コードによる識別コードＢを付属品（２０）に付すことを特徴とする請求項１ないし３の何れか１項に記載の内視鏡管理システム。
【請求項５】
内視鏡本体（１０）に識別コードＡを付すにあたって、挿入部（２）以外の場所に、印刷、あるいはラベルの貼付、あるいはタグの装着によって、バーコードなどの光学式識別コードを付すことを特徴とする請求項４に記載の内視鏡管理システム。
【請求項６】
中央サーバで識別コード別に内視鏡情報と付属品情報を管理するとともに、バーコードリーダなどの識別コード読取装置を用いて内視鏡本体（１０）または付属品（２０）に付された識別コードのコード情報を読取り、
前記コード情報をもとに中央サーバで管理されている各種情報を照合し、読取ったコード情報に該当する内視鏡情報または付属品情報を取得することを特徴とする請求項４または５に記載の内視鏡管理システム。
【発明の詳細な説明】
【技術分野】
【０００１】
本発明は、内視鏡のスペックや保守点検などの各種情報を管理するとともに、適用可能な付属品を判断する内視鏡管理システムに関するものである。
【背景技術】
【０００２】
内視鏡では、内視鏡本体１０に鉗子等の処置具（以下、付属品という）２０を挿通するための鉗子孔１５を設けたものがある。
図１は、内視鏡本体１０の全体構成図である。図１に示す内視鏡本体１０は、手元操作部１と、この手元操作部１に接続された挿入部２を有している。前記挿入部２は、軟性部１１、湾曲部１２、及び先端硬質部１３から構成されており、前記湾曲部１２は、手元操作部１に設けられた一対の湾曲操作用ノブ１４、１４を回動させることにより遠隔的に湾曲操作され、これによって、先端硬質部１３が所望の方向に向けられる。
なお挿入部２の内部には、鉗子チューブ、ＣＣＤの信号ケーブル、ライトガイド、送気・送水チューブ等の複数の内容物が挿通され、先端硬質部１３の先端面には対物レンズ、送気・送水ノズル、照明用レンズ、鉗子チャンネル等がそれぞれ所定の位置に設けられている（図示せず）。
【０００３】
図２は、内視鏡本体１０の鉗子孔１５の構造を示す部分断面図である。
図１及び図２に示す内視鏡では、鉗子挿入口１５ａから付属品２０を挿入し、鉗子チューブ１５ｂを通って、先端硬質部１３の鉗子チャンネルから処置部２１を貫通させて使用する。このような内視鏡では、患者や処置部位置に応じて適切な付属品２０を選択し、診断・治療できるようになっている。
【０００４】
図３は、鉗子孔１５に挿入して使用する付属品２０を示す図である。
付属品２０は、鉗子チューブ１５ｂ内に配設される柄部２２と、鉗子チャンネルから外方へ出して使用される処置部２１とから構成され、前記柄部２２は、挿入部２の軟性部１１や湾曲部１２の動きに合わせて湾曲するように軟性をもつ部分（軟性部）と、処置具２０が鉗子チューブ１５ｂ内を挿通しやすいようにある程度硬度をもつ部分（硬性部）とからなる。
【０００５】
一般に、内視鏡本体１０の鉗子孔１５の内径（鉗子孔口径）は製造メーカーや機種等によって異なり、統一されていない。そして、鉗子孔１５の内径（鉗子孔口径）と付属品２０の外径（鉗子径）が異なるなど、部品同士の組み合わせが不適合であると適切な処置が行えないといった不具合があり、これら内視鏡本体１０と付属品２０とが適合するか否かの判定を容易に行うことのできる管理方法が望まれている。
そこで従来技術によれば、鉗子孔１５の内径（鉗子孔口径）に合った付属品２０を組み合わせるため、内視鏡本体１０や付属品２０を色分けして鉗子孔の内径を区別したり、内視鏡本体１０に鉗子孔の内径を表示する表示部（文字情報の表示）を設けたりする方法が考えられている。（例えば、特許文献１を参照）
しかしながら、鉗子孔１５の内径（鉗子孔口径）と付属品２０の外径（鉗子径）とが適合しても、被検者の体内に挿入部２を挿入して使用する内視鏡では、挿入部２がフレキシブルに湾曲するように構成されているため、前記挿入部の硬性部（若しくは軟性部）と付属品２０の柄部２２の硬性部（若しくは軟性部）との長さが適合しないと、挿入部２のフレキシブル性を維持した状態で内視鏡を使用することができなかったり、鉗子孔１５に付属品２０を挿入することが困難だったりしていた。
また、内視鏡本体１０と付属品２０とを組み合わせるにあたって、例えば電気安全性の問題から使用不可な組み合わせもある。
さらに患者の状態（狭窄）等によって、使用する内視鏡の挿入部２の外径を選択できるようにするため、挿入部２の外径を確認できようにすることも望まれている。また、医療機器としての保守点検・寿命管理の必要性から製造年月日や製品寿命に関する情報が確認できるようにしたり、未洗浄による再使用禁止情報を確認できたり、アレルギーに対する考慮から内視鏡の材質等の情報を確認できるようにし、これらの多量の情報を取り違えることなくそれぞれ情報管理することが望まれているが、それらの情報全てを文字情報として内視鏡本体１０などに表示することはスペース上不可能であり、色分けや文字情報の表示による管理方法では多量の情報を管理することが不可能であった。
【０００６】
一方、従来技術において、電子内視鏡とともに使用される内視鏡用プロセッサで、電子内視鏡で取得した診察でデータや診察結果のデータを登録するだけでなく、利用状況等の記録を行う電子内視鏡システムの利用状況記録方法が考えられている（例えば、特許文献２を参照）。
しなしながら上記の情報管理システムでは、内視鏡プロセッサに電子内視鏡をセットすることによってモニタ等に内視鏡情報を表示するように構築されているため、前記内視鏡用プロセッサが配設されている診察室内でのみ、情報の管理が行われることとなる。つまり使用直前まで内視鏡情報を確認することができず、また情報の管理を行うためだけに消毒状態にある診察室内に器具等を持ち込むことは衛生管理的に問題があった。
【特許文献１】特開２００２−３２５７２６号公報
【特許文献２】特開２００２−３４５７２６号公報
【発明の開示】
【発明が解決しようとする課題】
【０００７】
この発明による内視鏡の管理システムでは、上記問題点を鑑み、内視鏡本体や付属品に関する多量の情報を取り違えることなくそれぞれ情報管理し、かつ内視鏡本体と付属品との適合判断を容易に確認できる内視鏡管理システムを構築することを目的とする。
【課題を解決するための手段】
【０００８】
本発明は、内視鏡本体に識別コードＡを付し、前記識別コードＡのコード情報とこの識別コードＡが付された内視鏡本体に関する情報を中央サーバに入力し、前記中央サーバにおいて識別コード別に内視鏡情報を管理するとともに、付属品に識別コードＢを付し、前記識別コードＢのコード情報とこの識別コードＢが付された付属品に関する情報を中央サーバに入力し、前記中央サーバにおいて識別コード別に付属品情報を管理する内視鏡管理システムであって、内視鏡本体に付した識別コードＡと付属品に付した識別コードＢの各コード情報に基づいて内視鏡情報と付属品情報とを取得し、内視鏡本体と付属品の適合判断を行う。
【発明の効果】
【０００９】
本発明の内視鏡管理システムによれば、個別のコード情報を有する識別コードＡを内視鏡本体に付すとともに、個別のコード情報を有する識別コードＢを付属品に付し、中央サーバにおいて識別コード別に内視鏡情報および付属品情報を管理するため、多量の情報を取り違えることなくそれぞれ情報管理できるとともに、内視鏡本体と付属品の適合判断を行うにあたって、内視鏡本体に付された識別コードＡと付属品に付された識別コードＢの各コード情報に基づいて適合判断するため、容易に内視鏡本体と付属品との適合判断をすることができる。
【発明を実施するための最良の形態】
【００１０】
図１は、内視鏡本体１０の全体構成図である。図１に示す内視鏡本体１０は、手元操作部１と、この手元操作部１に接続された挿入部２を有している。前記挿入部２は、軟性部１１、湾曲部１２、及び先端硬質部１３から構成されており、前記湾曲部１２は、手元操作部１に設けられた一対の湾曲操作用ノブ１４、１４を回動させることにより遠隔的に湾曲操作され、これによって、先端硬質部１３が所望の方向に向けられる。
手元操作部１には、鉗子等の処置具２０が挿入される鉗子孔１５が設けられるとともに、シャッターボタン１６、吸引ボタン１７、送気・送水ボタン１８が並設されている。また、手元操作部１には、ＬＧ（ライトガイド）軟性部３を介してＬＧ（ライトガイド）コネクタ４が連結されている。ＬＧコネクタ４には連結チューブ５を介して電気コネクタ６が接続されている。
図２は、内視鏡本体１０の鉗子孔１５の構造を示す部分断面図である。
図１及び図２に示す内視鏡では、鉗子挿入口１５ａから付属品２０を挿入し、鉗子チューブ１５ｂを通って、先端硬質部１３の鉗子チャンネルから付属品先端（処置部）２１を貫通させて使用する。
【００１１】
図３は、鉗子孔１５に挿入して使用する付属品２０を示す図である。
付属品２０は、鉗子チューブ１５ｂ内に配設される柄部２２と、鉗子チャンネルから外方へ出される処置部２１とから構成され、前記柄部２２は、挿入部２の軟性部１１や湾曲部１２の動きに合わせて湾曲するように軟性をもつ部分（軟性部）と、処置具２０が鉗子チューブ１５ｂ内を挿通しやすいようにある程度硬度をもつ部分（硬性部）とからなる。
【００１２】
この発明による内視鏡の管理システムでは、内視鏡本体１０に識別コードＡを付すとともに、付属品２０に識別コードＢを付し、この識別コードのコード情報と、識別コードが付された内視鏡本体または付属品の情報を中央サーバに入力し、前記中央サーバで内視鏡情報と付属品情報を識別コード別に管理する。
【００１３】
図４に識別コードＡ，Ｂの例を示す。
内視鏡本体１０や付属品２０に付す識別コードは、バーコードなどの光学式識別コードを用いることが好ましい。
例えば、内視鏡本体１０の一部にバーコードを印刷したり、バーコードを記したラベルを貼付したり、あるいはバーコードを記したタグを内視鏡本体１０に装着したりすることによって、バーコードからなる識別コードＡを内視鏡本体１０に付す。またバーコードを記したタグを付属品２０に装着することによって、バーコードからなる識別コードＢを付属品２０に付す。
なお、内視鏡本体１０に識別コードＡ（例えばバーコード）を付すときは、挿入部２以外の場所に付す。またバーコードリーダなどのコード読取装置でコード情報を読取り易い場所に識別コードを付すことが好ましい。さらに、例えばケースの中に収納されている場合であっても、ケースから取り出さなくても（収納されている状態で）コード情報を読取れるような位置に識別コードを付すことが好ましい。
【００１４】
図１に示す内視鏡本体１０では、手元操作部１の鉗子孔周辺やコネクタ４などに、バーコードを印刷したり、バーコードラベルを貼付したりすることによって、内視鏡本体１０に識別コードＡを付してある。
また図３に示す付属品２０は、バーコードを記したタグを付着することによって、付属品２０に識別コードＢを付してある。
【００１５】
この発明による識別コードを用いた内視鏡管理システムについて、図５から図９のフローチャートを参照して説明する。
【００１６】
本発明による内視鏡管理システムは、内視鏡情報や付属品情報などの各種情報を識別コード別に中央サーバに登録（入力）するステップと、前記識別コードのコード情報に基づいて、中央サーバに格納されている各種情報を管理し（情報更新や情報確認など）、識別コードのコード情報に基づいて内視鏡本体と付属品との適合判断等を行うステップとからなる。
【００１７】
図５のフローチャートは、中央サーバで内視鏡情報や付属品情報などの各種情報を識別コード別に管理する方法を説明するものである。
この実施例では、まず内視鏡本体１０に識別コードＡを付すとともに（ステップＳ１）、この識別コードＡのコード情報を中央サーバに入力する（ステップＳ２）。そして前記コード情報の入力とともに、識別コードＡが付された内視鏡本体１０のスペック等の内視鏡情報を中央サーバに入力して内視鏡の登録を行い（ステップＳ３）、中央サーバで内視鏡情報を識別コード別に管理する（ステップＳ４）。
すなわち、内視鏡本体１０に付した識別コードＡのコード情報の入力と、その内視鏡の登録とによって、識別コード別に内視鏡情報を管理する。
なお内視鏡本体１０に付す識別コードＡとして、内視鏡本体の機種名、鉗子孔口径（鉗子孔１５の内径）、有効長（鉗子チューブ１５ｂの長さ）などの内視鏡本体のスペック情報や、組み合わせ可能な付属品の種類の情報など、内視鏡情報の一部をコード情報として含むものを用いることもできる。
【００１８】
例えば１０台の内視鏡本体１０を管理するにあたって、各内視鏡本体１０にそれぞれ識別コードＡ１〜識別コードＡ１０を付すとともに、この各識別コードＡ１〜Ａ１０のコード情報をバーコードリーダなどの識別コード読取装置を用いて読取り、このコード情報を中央サーバに入力する。
識別コード別に内視鏡の登録を行うにあたって、識別コードＡが付された内視鏡本体１０のメーカー名、機種名、シリアルナンバー、鉗子孔口径（鉗子孔１５の内径）、有効長（鉗子チューブ１５ｂの長さ）、観察範囲、視野角、製造年月日、電気基板のロム情報、製品寿命、組み合わせ可能な付属品の種類に関する情報、適用可能な薬剤の種類や洗浄方法に関する情報などの内視鏡情報や、その登録年月日などの情報を、識別コード別に中央サーバに入力（格納）する。これによって、中央サーバで識別コード別に内視鏡情報を管理することができる。
【００１９】
内視鏡本体のメーカー名や機種名、鉗子孔口径、有効長などの内視鏡本体のスペック情報や、組み合わせ可能な付属品の種類に関する情報などの内視鏡情報をコード情報として含む識別コードＡを用いた場合、コード情報の入力とともに内視鏡情報を中央サーバに入力することができる。
また、内視鏡情報をコード情報として含まない識別コードＡを用いた場合や、コード情報に含まれていない内視鏡情報を入力したい場合は、識別コードＡのコード情報を中央サーバに入力した後、例えばオペレータによる情報入力操作によって、各識別コードＡ１〜Ａ１０別に内視鏡情報を中央サーバに入力し、内視鏡の登録を行う。
なお、中央サーバにおいて識別コード別に管理されている内視鏡情報は、例えばオペレータによる情報入力操作によって情報更新することもできる。
【００２０】
同様にして、付属品２０に識別コードＢを付すとともに（ステップＳ５）、この識別コードＢのコード情報を中央サーバに入力する（ステップＳ６）。そして前記コード情報の入力とともに、識別コードＢが付された付属品２０のスペック等の付属品情報を中央サーバに入力して付属品の登録を行い（ステップＳ７）、中央サーバで識別コード別に付属品情報を管理する（ステップＳ８）。
すなわち、付属品２０に付した識別コードＢのコード情報の入力と、その付属品の登録とによって、識別コード別に付属品情報を管理する。
なお付属品２０に付す識別コードＢとして、付属品の種類、鉗子径（付属品の内径）、有効長（柄部２２の長さ）などの付属品のスペック情報や、組み合わせ可能な内視鏡本体の種類の情報など、付属品情報の一部をコード情報として含むものを用いることもできる。
【００２１】
例えば１０台の付属品２０を管理するにあたって、各付属品２０にそれぞれ識別コードＢ１〜識別コードＢ１０を付すとともに、この各識別コードＢ１〜Ｂ１０のコード情報をバーコードリーダなどの識別コード読取装置を用いて読取り、このコード情報を中央サーバに入力する。
識別コード別に付属品を登録するにあたって、識別コードＢが付された付属品２０のメーカー名、シリアルナンバー、処置具の種類、鉗子径（付属品の外径）、有効長（柄部２２の長さ）、製品寿命、組み合わせ可能な内視鏡本体の種類に関する情報、適用可能な薬剤の種類や洗浄方法に関する情報などの付属品情報や、その登録年月日などの情報を、識別コード別に中央サーバに入力（格納）する。これによって、中央サーバで識別コード別に付属品情報を管理することができる。
【００２２】
付属品の種類、鉗子径、有効長などの付属品のスペック情報や、組み合わせ可能な内視鏡本体に関する情報などの付属品情報をコード情報として含む識別コードＢを用いた場合、コード情報の入力とともに付属品情報を中央サーバに入力することができる。
また、付属品情報をコード情報として含まない識別コードＢを用いた場合や、コード情報に含まれていない情報を入力したい場合は、識別コードＢのコード情報と中央サーバに入力した後、例えばオペレータによる情報入力操作によって、各識別コードＢ１〜Ｂ１０別に付属品情報を中央サーバに入力し、付属品の登録を行う。
なお、中央サーバにおいて識別コード別に管理されている付属品情報は、例えばオペレータによる情報入力操作によって情報更新することもできる。
【００２３】
さらに内視鏡本体１０や付属品２０だけでなく、内視鏡本体１０や付属品２０を洗浄するための洗浄機器や洗浄に使用する薬液の容器にも識別コードを付し、中央サーバにおいて、各識別コードに基づいてそれぞれの情報を管理することが好ましい。
この実施例では、内視鏡本体１０や付属品２０を洗浄する洗浄機器に識別コードＣを付すとともに（ステップＳ９）、この識別コードＣのコード情報を中央サーバに入力する（ステップＳ１０）。そして前記コード情報の入力とともに、識別コードＣが付された洗浄機器の機種等の機器情報を中央サーバに入力して機器の登録を行い（ステップＳ１１）、識別コード別に機器情報を管理する（ステップＳ１２）。
また洗浄に使用する薬液の容器に識別コードＤを付すとともに（ステップＳ１３）、この識別コードＤのコード情報を中央サーバに入力する（ステップＳ１４）。そして前記コード情報の入力とともに、識別コードＤが付された容器内にある薬液の種類や使用有効期限などの薬液情報を中央サーバに入力して薬液の登録を行い（ステップＳ１５）、識別コード別に薬液情報を管理する（ステップＳ１６）。
【００２４】
なお、その他の内視鏡の使用に関わるものにも識別コードを付し、中央サーバにおいて識別コード別に情報管理することが好ましい。
そして、識別コードのコード情報の入力と、前記識別コードを付した製品の登録を行うことによって、中央サーバで各種情報を識別コード別に管理する（ステップＳ１７）。
なお中央サーバで管理されている各種情報は、例えばオペレータによる情報入力操作によって情報更新することもできる。
【００２５】
図６のフローチャートは、中央サーバで管理している内視鏡情報を取得し、情報確認する方法を説明するものである。
中央サーバに接続されている端末（コンピュータなど）のモニタ等に内視鏡情報を表示して内視鏡情報を確認する場合、例えば、バーコードリーダなどの識別コード読取装置を用いて内視鏡本体１０に付されている識別コードＡのコード情報を読取り、このコード情報を中央サーバに接続されている端末に入力する（ステップＬ１）。そして前記端末で、入力したコード情報（識別コードＡ）に基づいて中央サーバ内の情報を照合し、識別コード別に管理されている各種情報の中から、照合した識別コードに該当する内視鏡情報を取得し（ステップＬ２）、この内視鏡情報を端末のモニタ等に表示する（ステップＬ３）。
なお内視鏡本体１０に付す識別コードＡとして、内視鏡本体の機種名、鉗子孔口径（鉗子孔１５の内径）、有効長（鉗子チューブ１５ｂの長さ）などの内視鏡本体のスペック情報や、組み合わせ可能な付属品の種類の情報など、内視鏡情報の一部をコード情報として含むものを用いた場合、バーコードリーダなどの識別コード読取装置を用いて内視鏡本体１０に付されている識別コードＡのコード情報を読取り、コンピュータなどの端末に入力することで、前記コード情報に含まれる内視鏡情報を取得し、端末のモニタ等に表示することもできる。
【００２６】
図７のフローチャートは、中央サーバで識別コード別に管理している各種情報を用いて内視鏡を管理する内視鏡管理システムの概要を示すものである。
図７に示す内視鏡管理システムの実施例では、内視鏡情報や付属品情報などの各種情報を識別コード別に情報管理している中央サーバに、診察情報管理端末１０１や、機器検査情報管理端末１０２や、洗浄情報管理端末１０３や、適合判断端末１０４などの各種端末（例えばコンピュータ）を接続し、中央サーバで識別コード別に管理されている各種情報をもとに、内視鏡本体の診察情報や機器検査情報に関する情報の管理、内視鏡本体や付属品の洗浄情報に関する情報の管理、内視鏡本体と付属品との適合判断を行う。
なお図中の点線矢印は、情報（データ）の流れを表したものである。
【００２７】
この実施例では、例えば診察情報を管理する診察情報管理端末１０１において、バーコードリーダなどの識別コード読取装置を用いて内視鏡本体１０に付されている識別コードＡのコード情報を読取って入力し（ステップＬ１１）、その後、患者データ、担当ドクター名、診察日時などの診察データを診察管理端末に登録するとともに（ステップＬ１２）、どのような患者に対して内視鏡を使用したかなどの使用履歴を診察結果として診察管理端末に登録する（ステップＬ１３）。そして前記診察情報管理端末１０１では、識別コードＡのコード情報とともに、前記診察データと診察結果を中央サーバに入力し、中央サーバにおいて識別コード別に診察データと診察結果を管理する。つまり内視鏡の使用履歴などの情報を識別コードに基づいて検索できるように、中央サーバで情報管理をする。
【００２８】
また、例えば機器検査情報管理端末１０２では、バーコードリーダなどの識別コード読取装置を用いて内視鏡本体１０に付されている識別コードＡのコード情報を読取って、このコード情報を端末１０２に入力した後（ステップＬ２１）、検査機器で内視鏡本体の気密検査を行って、内視鏡本体の良・不良を検査する（ステップＬ２２）。そして前記端末１０２は、前記検査結果（良・不良）を取得した後（ステップＬ２３）、識別コードＡのコード情報とともに検査結果を中央サーバに入力する。なお前記機器検査情報管理端末１０２では、内視鏡本体が不良と判断された場合には、警告表示を行う（ステップＬ２４）。
つまり、機器検査情報管理端末１０２は内視鏡の検査結果を、内視鏡本体１０に付された識別コードＡに基づいて中央サーバに入力し、内視鏡本体の良・不良などの情報を識別コードに基づいて検索できるように、中央サーバで情報管理をする
【００２９】
さらに、例えば洗浄情報管理端末１０３では、内視鏡本体１０または付属品２０を洗浄するにあたって、バーコードリーダなどの識別コード読取装置を用いて内視鏡本体１０又は付属品２０に付されている識別コードＡまたはＢのコード情報を読取り、このコード情報を洗浄情報管理端末に入力し（ステップＬ３１）、そして前記端末１０３で、識別コードのコード情報に基づいて中央サーバ内の各種情報を照合し、識別コード別に管理されている内視鏡情報または付属品情報の中から、バーコードリーダなどの識別コード読取装置で読取った識別コードに該当する内視鏡情報または付属品情報を取得し、内視鏡本体や付属品を適切に洗浄するための情報（適切な薬剤や洗浄手順など）を取得する（ステップＬ３２）。そして洗浄情報管理端末１０３では、この洗浄情報にしたがって内視鏡本体や付属品を洗浄し（ステップＬ３３）、その後、識別コードのコード情報とともに、洗浄記録を中央サーバに入力する（ステップＬ３４）。
つまり洗浄記録は、内視鏡本体１０や付属品２０に付された識別コードＡ，Ｂに基づいて中央サーバに入力され、中央サーバにおいて識別コード別に情報管理される。
【００３０】
また内視鏡本体１０と付属品２０との適合判断を行う場合、バーコードリーダなどの識別コード読取装置を用いて内視鏡本体１０に付されている識別コードＡと、付属品２０に付されている識別コードＢとを読取り、これら識別コードＡ及びＢのコード情報を適合判断端末１０４に入力する（ステップＬ４１）。そして前記端末１０４では、入力された識別コードＡ及びＢのコード情報に基づいて中央サーバ内の各種情報を照合し、識別コード別に管理されている情報の中から、照合した識別コードに該当する内視鏡情報及び付属品情報を取得する（ステップＬ４２）。
そして前記内視鏡情報及び付属品情報に基づいて、内視鏡本体と付属品との組み合わせの適合判断を行い（ステップＬ４３）、不適合と判断された場合は警告表示をして使用不可とし（ステップＬ４４）、適合と判断された場合は使用可とする（ステップＬ４５）。
【００３１】
なお内視鏡本体１０に付した識別コードＡがコード情報として、組み合わせ可能な付属品の種類の情報を含むとともに、付属品２０に付した識別コードＢがコード情報として、組み合わせ可能な内視鏡の種類の情報を含む場合は、適合判断端末は中央サーバ内の情報を照合・取得することなく、それぞれに付された識別コードＡ，Ｂのコード情報に基づいて適合判断することもできる。
【００３２】
次に、この発明の内視鏡管理システムによる洗浄方法について、図８のフローチャートを参照して詳しく説明する。
図８は内視鏡本体の洗浄方法を説明するものであって、この実施例では中央サーバで識別コード別に管理されている各種情報に基づいて内視鏡本体を洗浄する。なお図中の点線矢印は情報（データ）の流れを表すものである。
【００３３】
内視鏡本体１０を洗浄するにあたって、洗浄すべき内視鏡本体１０に付された識別コードＡのコード情報を読取り、このコード情報を洗浄情報管理端末に入力するとともに（ステップＮ１）、洗浄情報管理端末は入力されたコード情報に基づいて中央サーバ内の情報を照合し、中央サーバで管理している各種情報の中から、当該内視鏡本体１０の内視鏡情報を取得する（ステップＮ２）。
また洗浄機器に付された識別コードＣを読取り、このコード情報を洗浄情報管理端末に入力するとともに（ステップＮ３）、洗浄情報管理端末は入力されたコード情報に基づいて中央サーバ内の情報を照合し、中央サーバで管理している各種情報の中から、当該洗浄機器の機器情報を取得する（ステップＮ４）。つまり洗浄情報管理端末において、入力された識別コードをもとに内視鏡情報と機器情報とを取得する。
【００３４】
そして洗浄情報管理端末では、取得した内視鏡情報と機器情報に基づいて、機器と内視鏡本体との判定を行い（ステップＮ５）、内視鏡本体１０の洗浄に不適切な洗浄機器が選択されている場合や、中央サーバで管理されている内視鏡情報（機器検査情報管理端末から中央サーバに入力された検査結果）に基づいて内視鏡本体が不良であるとされた場合は、不適であると判定し（ＮＧ）、警告表示するとともに（ステップＮ１６）、洗浄作業を中止するよう指示する。
なお内視鏡本体１０の洗浄に適切な洗浄機器が選択され、かつ機器検査端末で検査結果が良品であるとされた内視鏡本体１０である場合は、適正と判定し（ＧＯＯＤ）、次のステップに進む。
【００３５】
次のステップでは、洗浄に使用する薬液を選択し（ステップＮ６）、選択した薬液の容器に付された識別コードＤのコード情報を読取り、このコード情報を洗浄情報管理端末に入力するとともに（ステップＮ７）、洗浄情報管理端末は入力されたコード情報に基づいて中央サーバ内の情報を照合し、中央サーバで管理している各種情報の中から、当該薬液の薬液情報を取得する（ステップＮ８）。そして洗浄情報管理端末では、この薬液情報と、先に取得した内視鏡情報（ステップＮ２）とに基づいて薬液の判定を行う（ステップＮ９）。
【００３６】
薬液の判定では、薬液情報から使用期限等の適性を判定したり、薬液情報と内視鏡情報とから選択した薬液の内視鏡洗浄適性（薬液と内視鏡との一致・不一致）を判定し、いずれかが不適である場合は、不適であると判定し（ＮＧ）、警告表示するとともに（ステップＮ１６）、再度薬液の選択を行う（ステップＮ６に戻る）。なお内視鏡洗浄適性では、薬液が弱すぎて消毒・滅菌不十分な場合や、薬液が強すぎで内視鏡が壊れてしまう場合も不適であると判定する。
なお薬液判定が適正であると判定された場合（ＧＯＯＤ）は、次のステップに進む。
【００３７】
次のステップでは、洗浄の手順を選択して洗浄情報管理端末に入力し（ステップＮ１０）、洗浄情報管理端末では入力された洗浄の手順と、先に取得した内視鏡情報（ステップＮ２）とに基づいて洗浄手順の判定を行う（ステップＮ１１）。
手順の判定で不適であると判定された場合（ＮＧ）は、警告表示するとともに（ステップＮ１６）、再度手順の選択を行う（ステップＮ１０に戻る）。
手順の判定で適正であると判定された場合（ＧＯＯＤ）は、次のステップに進み、洗浄機器で内視鏡本体を洗浄する（ステップＮ１２）
【００３８】
洗浄後、消毒・滅菌の判定を行い（ステップＮ１３）、消毒や滅菌が不十分である場合は不適と判定し（ＮＧ）、再度洗浄を行う（ステップＮ１２に戻る）。また消毒や滅菌が十分である場合は、適正と判定し（ＧＯＯＤ）、洗浄を終了する（ステップＮ１４）。
洗浄終了後、洗浄情報管理端末は、内視鏡本体に付された識別コードＡのコード情報に基づいて、洗浄記録を中央サーバに登録（入力）する（ステップＮ１５）。
【００３９】
つまり、それぞれの製品に付した識別コードのコード情報に基づいて、中央サーバから各種情報を取得し、内視鏡本体を適正に洗浄するとともに、その洗浄記録を内視鏡本体に付した識別コードＡに基づいて中央サーバに入力することで、内視鏡本体の洗浄記録を識別コード別に管理する。
【００４０】
続いて、この発明の内視鏡管理システムによる適合判断方法について、図９のフローチャートを参照して詳しく説明する。
図９は内視鏡本体と付属品との適合判断方法を説明するものであって、この実施例では中央サーバで識別コード別に管理されている各種情報に基づいて内視鏡本体と付属品との組み合わせの適合性を判断する。なお図中の点線矢印は情報（データ）の流れを表すものである。
【００４１】
この発明による内視鏡管理システムでは、内視鏡本体１０と付属品２０との組み合わせの適合判断を行う場合、内視鏡本体１０に付された識別コードＡのコード情報を識別コード読取装置で読取り（ステップＭ１）、このコード情報を適合判断端末に入力する。そしてコード情報が入力された前記端末は、コード情報をもとに中央サーバの情報を照合し、識別コード別に管理されている各種情報の中から前記コード情報に該当する内視鏡情報を取得する（ステップＭ２）。
中央サーバから取得した内視鏡情報に基づいて、内視鏡本体が良品であるか（故障はないか）や、洗浄済みであるかの判定を行い、内視鏡本体の使用適性を判断する。
【００４２】
この実施例では、まず中央サーバから取得した内視鏡情報に基づいて、内視鏡が不良品であるか判定する（ステップＭ３）。例えば、中央サーバで管理されている内視鏡情報（機器検査情報管理端末から中央サーバに入力された検査結果）に基づいて内視鏡本体が不良品であると判定された場合（ＹＥＳ）は、警告表示をし（ステップＭ５）、使用不可とする。
【００４３】
また不良品でない場合（ＮＯ）は、続いて内視鏡が洗浄済であるかを判定する（ステップＭ４）。例えば、中央サーバで管理されている内視鏡情報（洗浄情報管理端末から中央サーバに入力された洗浄記録）に基づいて内視鏡本体が、使用後に未洗浄であると判定された場合（ＮＯ）は、警告表示をし（ステップＭ５）、使用不可とする。
【００４４】
そして、不良品でないと判定（ＮＯ）され、かつ洗浄済と判定（ＹＥＳ）された場合は、内視鏡本体の使用適性が良好であると判断し、続いて付属品との適合判定を行う（ステップＭ１２に進む）。
【００４５】
一方、付属品２０に付された識別コードＢのコード情報を識別コード読取装置で読取り（ステップＭ６）、このコード情報を適合判断端末に入力する。そしてコード情報が入力された前記端末は、コード情報をもとに中央サーバの情報を照合し、識別コード別に管理されている各種情報の中から前記コード情報に該当する付属品情報を取得する（ステップＭ７）。
そして中央サーバから取得した付属品情報に基づいて、付属品がディスポ製品であるかや、洗浄済みであるかの判定を行い、付属品の使用適性を判断する。
【００４６】
この実施例では、まず付属品２０がディスポ（使い捨て）製品であるかを判定し（ステップＭ８）、ディスポ製品であると判定された場合（ＹＥＳ）は、続いて初回の使用かを判定し（ステップＭ９）、初回の使用でない場合（ＮＯ）は、警告表示をし（ステップ１１）、使用不可とする。
またディスポ製品で、かつ初回の使用であると判定された場合（ＹＥＳ）は、付属品の使用適性が良好であると判断し、続いて内視鏡との適合判定を行う（ステップＭ１２に進む）。
【００４７】
さらに、付属品２０がディスポ（使い捨て）製品であるかを判定し（ステップＭ８）、ディスポ製品でないと判定された場合（ＮＯ）は、続いて洗浄済かを判定し（ステップＭ１０）、未洗浄と判定された場合（ＮＯ）は、警告表示をし（ステップ１１）、使用不可とする。また洗浄済と判定された場合（ＹＥＳ）は、付属品の使用適性が良好であると判断し、続いて内視鏡本体との適合判断を行う（ステップＭ１２に進む）。
【００４８】
適合判断では、内視鏡本体に付された識別コードＡのコード情報をもとに取得した内視鏡情報と、付属品本体に付された識別コードＢのコード情報をもとに取得した付属品情報とによって、内視鏡本体と付属品との組み合わせの適性・不適正を判断する（ステップＭ１２）。
そして不適合と判定された場合は、警告表示をし（ステップＭ１３）、使用不可とする。また適合と判定された場合は、内視鏡本体の使用適性および付属品の使用適性が良好で、かつそれらの組み合わせも適合すると判断し、使用可であると判断する（ステップＭ１４）。
【００４９】
この発明による内視鏡管理システムでは、内視鏡本体１０に付した識別コードＡのコード情報をもとに内視鏡情報の登録・更新（内視鏡本体のスペック情報の入力や、使用履歴に関わる情報の入力や、機器検査結果や洗浄記録などの情報の入力）がされ、中央サーバにおいて識別コード別に内視鏡情報を管理するとともに、付属品２０に付した識別コードＢのコード情報をもとに付属品情報の登録・更新（付属品のスペック情報の入力や、使用履歴に関わる情報の入力や、機器検査結果や洗浄記録などの情報の入力）がされ、中央サーバにおいて識別コード別に付属品情報を管理する。そして各端末において内視鏡情報や付属品情報を取得する場合は、内視鏡本体に付された識別コードＡのコード情報や、付属品に付された識別コードＢのコード情報をもとに、中央サーバで管理している各種情報の中から該当情報を取得する。これによって、識別コードのコード情報に基づいて多量の情報を管理することができる。
【００５０】
つまり機器検査情報管理端末や洗浄情報管理端末などから、検査結果や洗浄記録などの情報が逐次中央サーバに入力され、各種情報が識別コード別に管理されているとともに、適合判断にあたって、前記情報（逐次入力され更新されている情報）を取得して、判定を行うため、内視鏡の使用にあたって適正な判断をすることができる。
また情報を取得するにあたって、内視鏡本体や付属品に付された識別コードのコード情報をもとに取得するため情報の取り違えがない。
【００５１】
さらにバーコードなどの光学式識別コードを用いた場合、多量の情報をコード情報として含ませることができるとともに、内視鏡本体１０や付属品２０への識別コードの添付が容易である。またパーコードリーダなどの識別コード読取装置を使用することによって、容易に識別コードのコード情報を取得することができるため、取り扱いが容易である。
【図面の簡単な説明】
【００５２】
【図１】この発明の実施例による内視鏡本体の全体構成図である。
【図２】この発明の実施例におる内視鏡本体の部分断面図である。
【図３】この発明の実施例による付属品を示す図である。
【図４】この発明の実施例による識別コードを示す図である。
【図５】この発明の内視鏡管理システムを説明するフローチャート１。
【図６】この発明の内視鏡管理システムを説明するフローチャート２。
【図７】この発明の内視鏡管理システムを説明するフローチャート３。
【図８】内視鏡本体の洗浄方法を説明するフローチャート。
【図９】内視鏡本体と付属品の適合判断方法を説明するフローチャート。
【符号の説明】
【００５３】
１    手元操作部
２    挿入部
４    コネクタ
１０  内視鏡本体
１５  挿入孔
２０  付属品
２１  処置部
２２  柄部
Ａ    識別コードＡ
Ｂ    識別コードＢ
１０１  診察情報管理端末
１０２  機器検査情報管理端末
１０３  洗浄情報管理端末
１０４  適合判断端末
【図１】
2005058450.tif 000003
【図２】
2005058450.tif 000004
【図３】
2005058450.tif 000005
【図４】
2005058450.tif 000006
【図５】
2005058450.tif 000007
【図６】
2005058450.tif 000008
【図７】
2005058450.tif 000009
【図８】
2005058450.tif 000010
【図９】
2005058450.tif 000011